(57)【要約】【課題】小型で持ちやすく、手の平の中に配置することができ、片手で簡単に取り扱うことができる流体送出用ヘッドを提供する。【解決手段】シャワーヘッド１６４は、円盤状の噴射頭部１６４ｃと、噴射頭部１６４ｃの後面の中央部に設けられた直線パイプ部１６４ｄと、直線パイプ部１６４ｄの後端部に設けられた支持用の円板部１６４ｆと、円板部１６４ｆの後側に設けられた曲線パイプ部１６４ｋとを有する。曲線パイプ部１６４ｋの後端部は、給湯用管１６２の一端に接続される。シャワーヘッド１６４の噴射頭部１６４ｃの表面には複数の噴射孔１６４ｈが設けられる。給湯装置１６０から給湯用管１６２を介して供給される温水は、曲線パイプ部１６４ｋの中を通り、円板部１６４ｆの中心穴の中を通り、直線パイプ部１６４ｄの中を通り、噴射頭部１６４ｃの噴射孔１６４ｈから噴射される。【選択図】　　　図１
2004016974.tif 000002
【特許請求の範囲】
【請求項１】
前面および後面を有する盤状の送出頭部と、
該送出頭部の前記前面に設けられた複数の噴射孔と、
前端部および後端部と管路とを有し、前記前端部が前記送出頭部の前記後面に位置する、作業者の指を当てるための直線パイプ部と、
前面および後面と管路とを有し、前記前面が前記直線パイプ部の後端部に位置する支持用のつば部と、
前端部および後端部と管路とを有し、前端部が前記つば部の後面に位置する曲線パイプ部とを備え、
前記直線パイプ部の管路と、前記つば部の管路と、前記曲線パイプ部の管路と、前記複数の噴射孔が互いに連通するように構成される、
ことを特徴とする流体送出用ヘッド。
【請求項２】
前記直線パイプ部は、前記送出頭部の後面の中央部に設けられることを特徴とする請求項１記載の流体送出用ヘッド。
【請求項３】
前記直線パイプ部は、前記送出頭部の後面の外周部に設けられることを特徴とする請求項１記載の流体送出用ヘッド。
【請求項４】
前面、後面、外周部を有する円盤状の送出頭部と、
該送出頭部の前記前面に設けられた複数の噴射孔と、
前端部および後端部と管路とを有し、前記前端部が前記送出頭部の前記外周部に位置するパイプ部と、
非直線部分を有し、前記外周部に設けられた、作業者の指を当てるための保持部とを備え、
前記パイプ部の管路と、前記複数の噴射孔が互いに連通するように構成される、
ことを特徴とする流体送出用ヘッド。
【請求項５】
２つの保持部を有し、前記それぞれの保持部は、リング状の非直線部分と、アーム部分とを含み、前記アーム部分の一端が前記リング状の非直線部分に位置し、前記アーム部分の他端が前記送出頭部の前記外周部に位置することを特徴とする請求項４記載の流体送出用ヘッド。
【発明の詳細な説明】
【０００１】
【発明の属する技術分野】
本発明は、複数の孔から流体を送り出すように構成された流体送出用ヘッドに関する。特に、本発明は、複数の孔から温水、冷水を噴出させるシャワーヘッド、および、複数の孔から温風、冷風を吹き出させるドライヤヘッドに関する。さらに、本発明は、複数の孔から水、薬剤などの流体を噴出させる流体噴出ヘッドに関する。
【０００２】
【従来の技術】
特開平１１−１３７３３０号公報に開示されている頭部洗浄用シャワーブラシは、ブラシ基台１１１と一体に形成されたカバー１０３を有し、カバー１０３の後部に固定されたホース１０４が、給水管１０７および吸引管１１０を有する。
特開平１１−１９６９２５号公報に開示されている頭部・顔部洗浄装置は、シャワーヘッド１０４を備え、このシャワーヘッド１０４の後部が給水管１０１に接続されている。
特開２００１−３２７４２３号公報に開示されているシャワー装置においては、シャワーヘッド本体４の側面部に給水管が配置されている。
特開２００１−３２７４２４号公報に開示されているシャワーヘッドにおいては、シャワーヘッド本体２の側面部に給水管が配置されている。
特開２００１−３１４４６７号公報に開示されているハンドシャワにおいては、シャワーヘッド本体２の側面部に給水管が配置されている。
【０００３】
【発明が解決しようとする課題】
しかし、従来のシャワー装置では、シャワーヘッドは壁に掛けるか、シャワーヘッド本体の外周部を手で持つことにより、シャワーを使用していた。このため、片手が不自由な人、乳幼児、老人などが片手でシャワーヘッド本体を確実に持ってシャワーを使用するのが難しいという課題があった。
【０００４】
【発明の目的】
本発明の目的は、小型で持ちやすく、手の平の中に配置することができ、片手で簡単に取り扱うことができる流体送出用ヘッド、又は、シャワーヘッドを提供することにある。
また、本発明の目的は、小型で持ちやすく、手の平の中に配置することができ、片手で簡単に取り扱うことができるドライヤヘッドを提供することにある。
【０００５】
【課題を解決するための手段】
本発明の流体送出用ヘッドは、前面および後面を有する盤状の送出頭部と、送出頭部の前面に設けられた複数の噴射孔と、前端部および後端部と管路とを有し、前端部が送出頭部の後面に位置する、作業者の指を当てるための直線パイプ部と、前面および後面と管路とを有し、前記前面が前記直線パイプ部の後端部に位置する支持用のつば部と、前端部および後端部と管路とを有し、前端部が前記つば部の後面に位置する曲線パイプ部とを備える。この流体送出用ヘッドでは、直線パイプ部の管路と、つば部の管路と、曲線パイプ部の管路と、複数の噴射孔が互いに連通するように構成されている。
この構成により、小型で持ちやすく、手の平の中に配置することができ、片手で簡単に取り扱うことができる流体送出用ヘッド、シャワーヘッド、ドライヤヘッドを実現することができる。
【０００６】
また、本発明の流体送出用ヘッドでは、前記直線パイプ部は、前記送出頭部の後面の中央部に設けられるのが好ましい。
この構成により、小さい手でも非常に持ちやすく、手の平の中に配置することができる流体送出用ヘッド、シャワーヘッド、ドライヤヘッドを実現することができる。
また、本発明の流体送出用ヘッドでは、前記直線パイプ部は、前記送出頭部の後面の外周部に設けてもよい。
この構成により、指に挟んで持ちやすい流体送出用ヘッド、シャワーヘッド、ドライヤヘッドを実現することができる。
【０００７】
また、本発明の流体送出用ヘッドは、前面、後面、外周部を有する円盤状の送出頭部と、送出頭部の前記前面に設けられた複数の噴射孔と、前端部および後端部と管路とを有し、前記前端部が前記送出頭部の前記外周部に位置するパイプ部と、非直線部分を有し、前記外周部に設けられた、作業者の指を当てるための保持部とを備える。この流体送出用ヘッドでは、前記パイプ部の管路と、前記複数の噴射孔が互いに連通するように構成されている。
この流体送出用ヘッドは、２つの保持部を有し、前記それぞれの保持部は、リング状の非直線部分と、アーム部分とを含み、前記アーム部分の一端が前記リング状の非直線部分に位置し、前記アーム部分の他端が前記送出頭部の前記外周部に位置するのが好ましい。この構成により、指で簡単に支持することができる流体送出用ヘッド、シャワーヘッド、ドライヤヘッドを実現することができる。
更に、シャワーヘッドの送出頭部の前面にスポンジなどを装着して、自動車、自転車などを洗浄するための洗浄用の流体送出用ヘッドを実現することができる。このように構成した洗浄用の流体送出用ヘッドは、作業中に流体送出用ヘッドを持つ手に力を入れるのがたやすいので、洗浄効果を上げることができる。
【０００８】
【発明の効果】
本発明の流体送出用ヘッドは、上記構成を採用したことにより、小さい手でも非常に持ちやすく、手の平の中に配置することができ、或いは、指で簡単に支持することができる。したがって、限られた空間、例えば、６０ｍｍ〜１５０ｍｍ程度の幅の中で、片手でシャワーヘッド又はドライヤヘッドを持って、作業を行うことができる。
本発明の流体送出用ヘッドを用いることにより、片手でシャワーヘッドを持ちシャワーリングを行い、湯水を頭部に直角に当てることができる。したがって、シャワーリング中に湯水が飛散するおそれが少なく、使用者はシャワー圧を１００％感じることができ、気持ち良くシャワーリングを行うことができる。さらに、本発明の流体送出用ヘッドを用いることにより、シャワーリングを行いながら、ヘッドマッサージを行うことができる。
また、美容院では、特に女性はお化粧をしているので、洗髪すべき者を仰向けにした状態で洗髪作業を行っている。近年、理容室においても、洗髪すべき者を仰向けにした状態で洗髪作業を行うところが増加している。この理由は、仰向けにした状態で洗髪されるほうが気持ちがよいと感じる者が多いためである。しかしながら、洗髪すべき者を仰向けにした状態での洗髪作業の技術を完全に習得するには、６ヶ月以上の指導を受ける必要がある。理容室、美容院などの経営者は、このような長期間の研修を行うことを望まない。更に、従来、美容師はシャワーヘッドを左右の手で持ち替えながら、シャワーヘッドを持たないほうの手で跳ね上がる湯水を防ぎながら、両手を同時に使ってシャワーリングを行っている。本発明の流体送出用は手の中に入るようにして保持することができるので、美容師は片手でシャワーヘッドを持ちシャワーリングを行うことができる。したがって、洗髪すべき者を仰向けにした状態で洗髪作業を行った経験が少ない者でも、非常に短い期間の指導を受けるだけで、このような洗髪作業を行うことが可能になる。
【０００９】
また、片手が不自由な人、乳幼児、老人なども、片手で頭部を支持しながら、片手でシャワーを行いながら洗髪を行うことができる。
更に、小動物なども、片手だけを用いて洗髪およびシャワーリングを行うことができるので、非常に便利である。
【００１０】
【発明の実施の形態】
以下に、本発明の実施の形態を図面に基づいて説明する。
（１）第１の実施の形態
最初に、本発明の流体送出用ヘッドの第１の実施の形態を説明する。
以下に説明する本発明の流体送出用ヘッドの第１の実施の形態は、シャワーヘッドである。
図１および図２を参照すると、シャワーヘッド１６４は、円盤状の噴射頭部１６４ｃと、噴射頭部１６４ｃの後面の中央部に設けられた直線パイプ部１６４ｄと、直線パイプ部１６４ｄの後端部に設けられた支持用の円板部１６４ｆと、円板部１６４ｆの後側に設けられた曲線パイプ部１６４ｋとを有する。曲線パイプ部１６４ｋの後端部は、給湯用管１６２の一端に接続される。
【００１１】
本明細書において、「前」とは、シャワーヘッド１６４において、液体が流れる下流側の方向を示し、「後」とは、シャワーヘッド１６４において、液体が流れる上流側の方向を示す。
シャワーヘッド１６４の噴射頭部１６４ｃの表面には複数の噴射孔１６４ｈが設けられる。給湯装置１６０から給湯用管１６２を介して供給される温水は、曲線パイプ部１６４ｋの中を通り、円板部１６４ｆの中心穴の中を通り、直線パイプ部１６４ｄの中を通り、噴射頭部１６４ｃの噴射孔１６４ｈから噴射されるように構成される。
【００１２】
直線パイプ部１６４ｄは、噴射頭部１６４ｃの後面の中央部に設けられるのが好ましい。直線パイプ部１６４ｄは、噴射頭部１６４ｃの後面の中央部から偏心した位置に設けることもできる。直線パイプ部１６４ｄの中心軸線は、噴射頭部１６４ｃの後面に対して直角に設けられるのが好ましい。直線パイプ部１６４ｄの中心軸線は、噴射頭部１６４ｃの後面に対して１度〜６０度の角度をなすように設ることもできる。
円板部１６４ｆの表面は、噴射頭部１６４ｃの後面に対して平行に設けられるのが好ましい。円板部１６４ｆの前面は、噴射頭部１６４ｃの後面に対して１度〜３０度の角度をなすように形成することもできる。
直線パイプ部１６４ｄと円板部１６４ｆを設けることにより、洗髪作業者はシャワーヘッド１６４をしっかりと保持することができる。
【００１３】
変形例として、図３を参照すると、給湯用管１８２の一端は給湯装置に接続され、給湯用管１８２の他端は２分岐コネクタの入力側端に接続される。第１のシャワーヘッド給湯管１８６ａが２分岐コネクタの第１の出力側端に接続され、第２のシャワーヘッド給湯管１８６ｂが２分岐コネクタの第２の出力側端に接続される。第１のシャワーヘッド（図示せず）が第１のシャワーヘッド給湯管１８６ａに接続され、第２のシャワーヘッド（図示せず）が第２のシャワーヘッド給湯管１８６ｂに接続される。この構成により、２つのシャワーヘッドを同時に利用することができる。
【００１４】
図４を参照すると、使用に際しては、シャワーヘッド１６４の直線パイプ部１６４ｄを指の間に挟む。例えば、シャワーヘッド１６４の直線パイプ部１６４ｄを親指と人差し指との間に挟み、シャワーヘッド１６４の噴射頭部１６４ｃの後面を手の平の中に配置する。このとき、シャワーヘッド１６４の円板部１６４ｆの前面は、手の甲に接近するように、或いは、手の甲に接触するように配置される。したがって、片手でシャワーヘッドを持ちシャワーリングを行い、湯水を頭部に直角に当てることができる。
【００１５】
（２）第２の実施の形態
次に、本発明の流体送出用ヘッドの第２の実施の形態を説明する。
以下の説明は、本発明の流体送出用ヘッドの第２の実施形態が本発明の流体送出用ヘッドの第１の実施形態と異なる点を主に述べる。したがって、以下に記載がない個所は、前述した本発明の流体送出用ヘッドの第１の実施形態についての説明をここに準用する。
以下に説明する本発明の流体送出用ヘッドの第２の実施の形態は、ドライヤヘッドである。
【００１６】
図５を参照すると、ドライヤヘッド１７４は、円盤状の吹出頭部１７４ｃと、吹出頭部１７４ｃの後面の中央部に設けられた直線パイプ部１７４ｄと、直線パイプ部１７４ｄの後端部に設けられた支持用の円板部１７４ｆと、円板部１７４の後側に設けられた曲線パイプ部１７４ｋとを有する。曲線パイプ部１７４ｋの後端部は、送風用管１７２の一端に接続される。ドライヤヘッド１７４の吹出頭部１７４ｃの前面には複数の吹出孔１７４ｈが設けられる。送風装置１７０から送風用管１７２を介して供給される温風および冷風は、曲線パイプ部１７４ｋの中を通り、円板部１７４ｆの中心穴の中を通り、直線パイプ部１７４ｄの中を通り、吹出頭部１７４ｃの吹出孔１７４ｈから吹き出されるように構成される。この構成により、患者などをベッドに寝かせた状態で、周囲をよごすことなく患者などを気持ち良く洗髪し、洗髪した髪を短時間で効果的に乾かすことができる。
【００１７】
使用に際しては、ドライヤヘッド１７４の直線パイプ部１７４ｄを指の間に挟む。例えば、ドライヤヘッド１７４の直線パイプ部１７４ｄを親指と人差し指との間に挟み、ドライヤヘッド１７４の吹出頭部１７４ｃの後面を手の平の中に配置する。このとき、ドライヤヘッド１７４の円板部１７４ｆの前面は、手の甲に接近するように、或いは、手の甲に接触するように配置される。したがって、片手でドライヤヘッド１７４を持ち乾燥作業を行い、温風、冷風を頭部に直角に当てることができる。
【００１８】
（３）変形例
次に、本発明の流体送出用ヘッドの変形例を説明する。
以下の説明は、本発明の流体送出用ヘッドの変形例が本発明の流体送出用ヘッドの第１の実施形態、第２の実施形態と異なる点を主に述べる。したがって、以下に記載がない個所は、前述した本発明の流体送出用ヘッドの第１の実施形態、第２の実施形態についての説明をここに準用する。
以下に説明する本発明の流体送出用ヘッドの変形例は、シャワーヘッドおよびドライヤヘッドである。
【００１９】
変形例として、図６を参照すると、ヘッド２６４は、円盤状の噴射頭部２６４ｃと、噴射頭部２６４ｃの後面の外周部に設けられた直線パイプ部２６４ｄと、直線パイプ部２６４ｄの後端部に設けられた支持用の円板部２６４ｆと、円板部２６４ｆの後側に設けられた曲線パイプ部２６４ｋとを有する。曲線パイプ部２６４ｋの後端部は、流体供給管２６２の一端に接続される。ヘッド２６４の噴射頭部２６４ｃの前面には複数の噴射孔２６４ｈが設けられる。
このように構成することにより、使用に際して、直線パイプ部２６４ｄを人差し指と中指との間に挟み、噴射頭部２６４ｃの後面を手の平の中に配置することができる。
【００２０】
更なる変形例として、図７および図８を参照すると、ヘッド３６４は、円盤状の噴射頭部３６４ｃと、噴射頭部３６４ｃの後面の外周部に、噴射頭部３６４ｃの表面と平行に設けられた直線パイプ部３６４ｄと、非直線部分を有し、前記外周部に設けられた、作業者の指を当てるための２つの保持部３６４ｇとを有する。直線パイプ部３６４ｄの後端部は、流体供給管３６２の一端に接続される。ヘッド３６４の噴射頭部３６４ｃの前面には複数の噴射孔３６４ｈが設けられる。
使用に際して、保持部３６４ｇに人差し指と中指とを当てて、噴射頭部３６４ｃの後面を手の平の中に配置することができる。
【００２１】
図７には２つの保持部３６４ｇを図示しているが、保持部３６４ｇの数は１つであってもよいし、２つであってもよいし、３つ以上であってもよい。
また、図７にはリング部を含む保持部３６４ｇを図示しているが、保持部３６４ｇの形状はＵ字型であってもよいし、Ｃ字型であってもよいし、Ｓ字型であってもよい。
【００２２】
図８に示すように、保持部３６４ｇは、少なくとも先端に近い方の部分が後方に曲がっているのが好ましい。
このように構成することにより、使用に際して、保持部３６４ｇの非直線部分の中に人差し指と中指を挿入して、噴射頭部３６４ｃの後面を手の平の中に配置することができる。
【図面の簡単な説明】
【図１】図１は、本発明の第１の実施の形態において、シャワーヘッドの概略構造を示す正面図である。
【図２】図２は、本発明の第１の実施の形態において、シャワーヘッドの概略構造を示す側面図である。
【図３】図３は、本発明の第１の実施の形態において、分岐管の概略構造を示す斜視図である。
【図４】図４は、本発明の第１の実施の形態において、シャワーヘッドの使用中の状態を示す斜視図である。
【図５】図５は、本発明の第２の実施の形態において、ドライヤヘッドの概略構造を示す斜視図である。
【図６】図６は、本発明の変形例において、シャワーヘッドの概略構造を示す側面図である。
【図７】図７は、本発明の更なる変形例において、シャワーヘッドの概略構造を示す正面図である。
【図８】図８は、本発明の更なる変形例において、シャワーヘッドの概略構造を示す側面図である。
【符号の説明】
１６２　　給湯用管
１６４　　シャワーヘッド
１６４ｃ　噴射頭部
１６４ｄ　直線パイプ部
１６４ｆ　円板部
１６４ｈ　噴射孔
１６４ｋ　曲線パイプ部
１７２　　送風用管
１７４　　ドライヤヘッド
１７４ｃ　吹出頭部
１７４ｄ　直線パイプ部
１７４ｆ　円板部
１７４ｈ　吹出孔
１７４ｋ　曲線パイプ部
２６２　　流体供給管
２６４　　ヘッド
２６４ｃ　噴射頭部
２６４ｄ　直線パイプ部
２６４ｆ　円板部
２６４ｈ　噴射孔
２６４ｋ　曲線パイプ部
３６２　　流体供給管
３６４　　ヘッド
３６４ｃ　噴射頭部
３６４ｄ　直線パイプ部
３６４ｇ　保持部
３６４ｈ　噴射孔
【図１】
2004016974.tif 000003
【図２】
2004016974.tif 000004
【図３】
2004016974.tif 000005
【図４】
2004016974.tif 000006
【図５】
2004016974.tif 000007
【図６】
2004016974.tif 000008
【図７】
2004016974.tif 000009
【図８】
2004016974.tif 000010